(57)【要約】【課題】  胸やズボンのポケットに簡単に入れて持ち運びができ、大、中、小の長さの各辺に基準長さを比較的大きい数字で表示し、被測定物の大きさに合わせて各辺を選択して簡単に使用できると共に、カメラと被測定物との距離が遠い場合でも上記各辺の長さを基準長さとして明確に視認することができる写真撮影用長さ基準スケールを提供する。【解決手段】  直方体の１辺を含む面にその辺の全長の数字を比較的大きく表示し、またこの全長目盛を２ｍｍ〜１５ｍｍ幅単位で連続的に色別して前記面の辺に沿って形成し、前記目盛を最小長さの辺においては短い目盛幅単位で、長い辺は目盛幅を長い単位で連続的に形成し、さらに前記直方体がアルミ金属製であり、前記面に艶消用のアルマイト加工を施した。【選択図】図１
0003141676.tif 000002
【実用新案登録請求の範囲】
【請求項１】
直方体の１辺を含む面にその辺の全長を示す数字を比較的大きく表示し、この全長の目盛を２ｍｍ〜１５ｍｍ幅単位で連続的に色別して前記面の辺に沿って形成するようにした写真撮影用長さ基準スケール。
【請求項２】
前記目盛を、直方体の最小長さの辺においては短い目盛幅単位で、長い辺は長い目盛幅単位で連続的に色別して形成するようにした請求項１記載の写真撮影用長さ基準スケール。
【請求項３】
前記直方体がアルミ金属であり、この直方体の目盛形成面に艶消用のアルマイト加工を施した請求項１乃至２記載の写真撮影用長さ基準スケール。
【考案の詳細な説明】
【考案の詳細な説明】
【技術分野】
【０００１】  本考案は、例えば遺跡の発掘調査の際、出土品の大きさの目安となるように出土品近傍に置いて出土品と一緒に撮影するもので、胸やズボンのポケットに入れられ持ち運びが簡単で使用方法も極めて便利な写真撮影用長さ基準スケールに関するものである。
【背景技術】
【０００２】  資料１は「縄文の世界（上野原遺跡のなぞ）」財団法人鹿児島県育英財団編集発行（平成１２年６月２０初版登録）であり、資料１の「目次」左頁に示されるように、遺跡の出土品には土器、石器、土製品、石製品等がある。これらの中には、資料１の２０〜２１頁に示されるような石鏃、石皿、土器や、４８〜４９頁に示されるような土偶、耳飾り、異形土製品、棒状土製品、さらには、５０頁に示されるような前記石鏃、石皿の他に、石匙、石斧、掻器、削器、彫器、くさび形石器、磨石、くぼみ石等あらゆる形状、大きさの出土品があります。発掘の際はこれらの出土品の近傍に長さ基準スケールを置いて、出土品の撮影と一緒に撮影して、撮影された写真に写った出土品の大きさを後にその写真画面から長さ基準スケールを目安として視認できるようにすることが望まれる。
【従来技術】
【０００３】  例えば、特開平７−２９５０６４号公報には、スケールを写し込み可能なカメラにおいて、被写体距離を計測する測距手段と、撮影レンズの焦点距離を検出する焦点距離検出手段と、前記被写体距離と前記焦点距離とに基づいて撮影倍率を算出する撮影倍率算出手段と、前記撮影倍率算出手段により算出された撮影倍率に応じて、フィルム上の被写体像の大きさを推定するための基準スケールを設定する基準スケール設定手段と、前記基準スケール設定手段で設定された基準スケールをフィルムに写し込む写し込み手段と、撮影動作を制御する制御手段とを備え、前記被写体距離に応じて撮影動作を禁止するスケールを写し込み可能なカメラが記載されている。
【０００４】  そして、この発明はデータを写し込み可能なカメラで、特に、被写体像の大きさを推定するための基準スケールを被写体と共に記録媒体に写し込むカメラである旨記載されている。
【０００５】  しかしながら、この発明のカメラは非常に複雑な構成、機能を有すると共に、発掘現場にこのような機能を備えた特別なカメラを準備しなければならず、通常のカメラによって測定することが出来ない。
【０００６】  また、特開２０００−０１８９２１号公報には、検査対象物９０の表面を撮影するカメラを有する寸法測定装置本体１と、寸法測定装置本体１に装備されて検査対象物９０の表面に既知の長さの平行光線によるスリット光２２を照射する照射手段と、前記スリット光２２と亀裂欠陥９１とを同時に前記カメラで撮像して前記カメラの画像を取り込み各種の画像処理を行う画像処理手段と、前記画像処理手段からの亀裂欠陥画像９１Ａとスリット光が像２２Ａを含んだ画像５１を表示する表示手段とから構成し、前記スリット光が像２２Ａを基準に、亀裂欠陥９１の実寸法を求めるようにした寸法測定方法及び装置が記載されている。
【０００７】  そして、この発明においては、スケールを測定対象物に装備したり、測定対象物と寸法測定装置本体との間隔を一定に保つためのレール等のガイド手段の利用を必要としないので、従来寸法測定が困難な狭隘な場所であっても、迅速且つ正確に測定対象物上の測定対象である亀裂欠陥等の実寸法を測定できる方法を提供できる旨記載されている。
【０００８】  しかしながら、この発明における実寸法の測定法は、寸法測定装置本体１が必要であり、この寸法測定装置本体１からはカメラ光軸と平行な光によるスリット光２２が検査対象物９０の表面に照射され、検査対象物９０の表面に周辺に比べて高輝度の直線が照射物として表され、その時のカメラ画像５１には、亀裂欠陥９１の画像である亀裂欠陥９１Ａと照射物の画像であるスリット光画像２２Ａが表示され、さらに寸法測定装置本体１にはカメラを遠隔操作する機構及び検査対象物９０を照らす照明設備を備えている等の複雑な構成及び機能を必要としている。
【０００９】  さらに、特開２００５−２１４９５５号公報には、テープ端部の金具４を鉄筋に引っ掛け、テープを引っ張ると、基準位置ごとにマグネットシート６が取り付けられたテープであるので、その位置の鉄筋に固定され、このことから、テープにたるみが無く取り付けられるので、正確な基準位置の写真撮影ができ、またスケール表示７の確認だけで鉄筋の位置と寸法は目視で検査できるようにした検査用スケールテープが記載されている。
【００１０】  そして、この発明においては、テープの片端に取り付けられた金具を鉄筋に引っ掛けてテープを引っ張ると、配筋の鉄筋位置にマグネットがあることで、鉄筋に止めることが可能であり、補助員が要らず一人で作業できる。また、鉄筋の位置が間違っていた場合は、マグネットで固定できないなど現場段階での確認もでき、また検査官は基準どおりのテープを使用しているかどうかだけの確認で、配筋位置と寸法は目視で検査ができる旨記載されている。
【００１１】  しかしながら、この発明は配筋の鉄筋位置を確認するテープ状のもので、引っ張ったりマグネットで固定したりするものであって、あらゆる大きさの品物の近傍に単に設置して撮影するのみで測定できる直方体状の基準寸法スケールではない。
【考案が解決しようとする課題】
【００１２】  本考案は、一番長い辺、中程度長い辺、最小長さの辺を有する直方体からなり、被測定物の大きさに合わせて前記各辺を選択して使用できると共に、これらの各辺の全長の長さを比較的大きな数字で表示するので明確に視認できる。また、前記基準長さの目盛を、２ｍｍ〜１５ｍｍ幅単位で連続的に色別してその辺を含む面にその辺に沿って表示するようにして、カメラと被測定物との距離が遠い場合でも前記目盛を幅単位で明確に視認することができる写真撮影用長さ基準スケールを提供することを課題とする。
【課題を解決する手段】
【００１３】  請求項１の考案は、直方体の１辺を含む面にその辺の全長を示す数字を比較的大きく表示し、この全長の目盛を２ｍｍ〜１５ｍｍ幅単位で連続的に色別して前記面の辺に沿って形成するようにした写真撮影用長さ基準スケールを提供するものである。
【００１４】  この考案によれば、一番長い辺、中程度長い辺、最小長さの辺を有する直方体からなり、被測定物の大きさに合わせて前記各辺を選択して使用できると共に、これらの各辺の全長の長さを比較的大きな数字で表示するので極めて明確に視認できる。また、前記基準長さの目盛を、２ｍｍ〜１５ｍｍ幅単位で連続的に色別してその辺を含む面にその辺に沿って表示するようにしたので、カメラと被測定物との距離が遠い場合でも前記目盛を幅単位で明確に視認することができる。
【００１５】    請求項２の考案は、前記目盛を、直方体の最小長さの辺においては短い目盛幅単位で、長い辺は長い目盛幅単位で連続的に色別して形成するようにした請求項１記載の写真撮影用長さ基準スケールを提供するものである。
【００１６】  この考案においては、カメラと被測定物との距離が近い場合には短い目盛幅単位で測定し、遠い場合には目盛幅単位を２〜１５ｍｍと長い目盛幅単位の表示で視認するので、カメラと被測定物との距離の遠近にあわせて使用できる。
【００１７】  請求項３の考案は、前記直方体がアルミ金属であり、この直方体の目盛形成面に艶消用のアルマイト加工を施した請求項１乃至２記載の写真撮影用長さ基準スケールを提供するものである。
【００１８】  この考案においては、前記直方体の面に艶消用のアルマイト加工を施したので、使用時太陽光の反射を抑制でき前記面に表示した数字や目盛を読み取り易くして写真の撮影を良好にする。また、アルマイト加工は明度が高いために前記面に表示した数字や目盛の濃色の印刷を鮮明に浮き出させることができる。
【考案を実施するための最良の形態】
【００１９】  以下に本考案の一実施形態を図面に基づき説明する。図１は６面を有する立方体からなるさ基準スケール１の右上方から見た斜視図、図２は図１を半回転させた基準スケール１裏面を表す左上方から見た斜視図である。図３は基準スケール１の正面図、図４は基準スケール１の左側面図、図５は基準スケール１の背面図である。【００２０】  この実施形態における基準スケール１は、１００ｍｍの一番長い辺２、５０ｍｍの中程度長い辺３、２０ｍｍの最小長さの辺４を有する直方体からなり、前記各辺を含む面２Ａ、３Ａ、４Ａにその辺に沿って辺の全長長さ２Ｂ（１０ｃｍ）、３Ｂ（５ｃｍ）、４Ｂ（２ｃｍ）の数字を比較的大きく表示するようにしている。【００２１】  この考案においては、一番長い辺２は７０ｍｍ〜１５０ｍｍ、中程度長い辺３は４０ｍｍ〜７０ｍｍ、最小長さの辺４は５ｍｍ〜３０ｍｍの範囲で使用できる。したがって、胸やズボンのポケットに簡単に入り持ち運びが簡単である。また、一番長い辺２、中程度長い辺３、最小長さの辺４の各辺を含む面に、基準長さ２Ｂ、３Ｂ、４Ｂの数字を比較的大きく表示するので遠くからでも明確に視認できると共に、被測定物近傍に設置してその大きさに合わせて各辺を選択して使用できる。【００２２】  図３に示す如く、前記辺２を含む基準長さ目盛２Ｃを５ｍｍ幅単位に連続的に白、黒と色別して表示するようにしいる。本考案では２ｍｍ〜１５ｍｍ幅単位で連続的に色別して表示できる。また、前記目盛２Ｃの中央、即ち両側から５ｃｍ（５０ｍｍ）の位置に菱形の中央位置目印２Ｄを設けて目盛幅単位を瞬時に読み取れるようにしている。【００２３】  したがって、前記基準長さの目盛を目視容易な幅単位で連続的に色別して表示し、さらに中央位置目印２Ｄを設けるようにしたので、カメラと被測定物との距離が遠い場合でも目盛幅単位を瞬時に読み取ることができる。【００２４】  前記基準長さの目盛を、最小長さの辺４においては１ｍｍ単位の短い目盛幅単位で表示し、長い辺２は目盛幅単位を長く（２ｍｍ〜１５ｍｍ単位）表示するようにしている。したがって、カメラと被測定物との距離が近い場合は１ｍｍの短い目盛幅単位で読み取り、遠い場合には目盛幅単位を２〜１５ｍｍと長い目盛幅単位で読み取るので、カメラと被測定物との距離の遠近にあわせて使用できるため極めて便利である。尚、前記中程度の辺３の目盛３Ｃは１ｍｍ単位としているが、上記したように中程度の長さの目盛幅単位としても良い。【００２５】  図６は図１のＸ部分拡大図であり、２Ｃは白色部分２１と黒色部分２２とからなり、黒色部分２２は白色部分２１をくり抜いて、くり抜いた部分に黒色の塗料を埋め込んで黒色部分２２の剥離を防止するものである。このように白色部分２１をくり抜いて、くり抜いた部分に黒色の塗料を埋め込むとこの黒色部分２２は連続する隣の面２３，２４にはみ出し部分２３Ａ、２４Ａが生じてしまう。【００２６】  したがって、このようなはみ出し部分２３Ａ、２４Ａが存在する面２３，２４に、前記中程度長い辺３の目盛３Ｃや最小長さの辺４の目盛４Ｃを形成すると、はみ出し部分２３Ａ、２４Ａの黒色部分２２と目盛３Ｃ、４Ｃの黒色部分とが重なってしまう。このことは、１ｍｍ単位の目��３Ｃ、４Ｃにおいても同様のことが生じる。故に、図１及び図２に示すように、各目盛２Ｃ、３Ｃ、４Ｃに隣接する隣の面には他の目盛や黒色表示を形成しないようにしている。【００２７】  さらに、前記直方体はアルミ金属であり、少なくとも前記面２Ａ、３Ａ、４Ａに艶消用のアルマイト加工を施している。したがって、使用時太陽光の反射を抑制して前記面２Ａ、３Ａ、４Ａに表示した数字２Ｂ、３Ｂ、４Ｂや目盛２Ｃ、３Ｃ、４Ｃを読み取り易くして写真の撮影を良好とすると共に、アルマイト加工は明度が高いために前記面に濃い色（実施例では黒色）の表示した数字、目盛幅単位、目盛を明瞭に表現することができる。
【考案の効果】
【００２８】  上記の如く本考案においては、一番長い辺、中程度長い辺、最小の長さの辺を有する直方体からなり、被測定物の大きさに合わせて前記各辺を選択して使用できると共に、これらの各辺の全長の長さ示す数字を比較的大きく表示するので極めて明確に視認できる。また、前記基準長さの目盛を、２ｍｍ〜１５ｍｍ幅単位で連続的に色別してその辺を含む面にその辺に沿って表示するようにしたので、カメラと被測定物との距離が遠い場合でも前記目盛を幅単位で明確に視認することができる。
【００２９】  また、カメラと被測定物との距離が近い場合には短い目盛幅単位で読み取り、遠い場合には目盛幅単位を２〜１５ｍｍと長い幅単位の表示で読み取るので、カメラと被測定物との距離の遠近にあわせて使用でき極めて便利である。
【００３０】  さらに、前記直方体の面に艶消用のアルマイト加工を施したので、使用時太陽光の反射を抑制でき前記面に濃い目で表示した数字や目盛を読み取り易くして写真の撮影を良好にする。また、アルマイト加工は明度が高いために前記面に表示した数字や目盛の印刷を鮮明にすることができる。
【００３１】  尚、本考案は遺跡の出土品のみならず、事件現場の証拠品その他あらゆる物品の撮影に使用できる。
【図面の簡単な説明】
【００３２】
【図１】    基準スケールの右上方から見た斜視図、
【図２】    図１を半回転させた基準スケールの左上方から見た斜視図
【図３】    基準スケールの正面図
【図４】    基準スケールの左側面図
【図５】    基準スケールの背面図
【図６】    図１のＸ部分拡大図
【符号の説明】
１                  基準スケール
２                  一番長い辺
２Ａ、３Ａ、４Ａ    各辺を含む面
２Ｂ、３Ｂ、４Ｂ    基準長さ
２Ｃ、３Ｃ、４Ｃ    目盛
３                  中程度長い辺、
４                  最小長さの辺
【図１】
0003141676.tif 000003
【図２】
0003141676.tif 000004
【図３】
0003141676.tif 000005
【図４】
0003141676.tif 000006
【図５】
0003141676.tif 000007
【図６】
0003141676.tif 000008